(57)【要約】【課題】同一の端子台にプリント板実装用とブロック型の双方の機能を持たせ、使い勝手の向上を図る。【解決手段】端子板３をＬ字形に形成し、その一方の脚３ａの前後２箇所に電線接続用のねじ穴５，６を設けるとともに、他方の脚３ｂの先端にプリント板接続部３ｅを設け、この端子板３を基台２に上方から圧入して固定する。２箇所の電線接続用ねじ穴５，６を用いることにより端子台１をブロック型として機能させ、１箇所の電線接続用ねじ穴５とプリント板接続部３ｅとを用いることにより端子台１をプリント板実装用として機能させることができる。【選択図】      図１
2005222711.tif 000002
【特許請求の範囲】
【請求項１】
絶縁物の基台に端子板が保持された端子台において、前記端子板をＬ字形に形成し、その一方の脚の前後２箇所に電線接続部を設けるとともに、他方の脚の先端にプリント板接続部を設け、この端子板を前記基台に上方から圧入して固定したことを特徴とする端子台。
【請求項２】
前記電線接続部を設けた端子板の脚の両側を門形に折り曲げて側板を形成したことを特徴とする請求項１記載の端子台。
【請求項３】
前記プリント板接続部を設けた端子板の脚の先端が突出する前記基台の取付面に、この基台の両端に設けた取付穴を囲む環状のボスを形成し、このボスの高さを前記プリント板接続部を接続するプリント板の板厚と同じにしたことを特徴とする請求項１記載の端子台。
【発明の詳細な説明】
【技術分野】
【０００１】
この発明は、モータ駆動用インバータユニットなどの電気機器において、内部配線と外部配線との間を接続する端子台に関する。
【背景技術】
【０００２】
端子台は一般に、絶縁物の基台に複数極の端子板が横並びに保持され、端子板の両端に電気機器の内部配線と外部配線とがそれぞれ接続されるようになっている。図８はプリント板実装用の端子台の従来例を示すもので、端子台１は基台２に横並びに配列された多数極の端子板３を有し、端子板３，３間は隔壁で仕切られている。端子板３は基台２を上下に貫通し、端子板３の上端部には端子ねじ４が取り付けられ、下端部はプリント板接続部として先細りに形成されている。このようなプリント板実装用の端子台については、例えば特許文献１に記載されている。
【０００３】
一方、図９は両端ねじ接続の端子台（ブロック型端子台）を示すもので、端子台１は前後仕切壁を通して基台２の前後に渡る多数極の端子板３を有し、端子板３の前後両端には端子ねじ４がそれぞれ取り付けられている。ブロック型端子台は電気機器の筐体に固定して使用されるが、このようなブロック型端子台については、例えば特許文献２に記載されている。
【特許文献１】特開平８−  ２２８５４号公報
【特許文献２】特開平６−２５１８１６号公報
【発明の開示】
【発明が解決しようとする課題】
【０００４】
従来、プリント板実装用端子台とブロック型端子台とは別タイプの端子台として別個に製作され、それぞれの用途に応じて使い分けられているが、同一の電気機器において仕様に応じていずれかのタイプの端子台を選択的に使用したい場合がある。その場合、従来の端子台は上記タイプにより形状や大きさが異なるため、電気機器の筐体も端子台に応じて変更しなければならず対応が面倒であった。
【０００５】
そこで、この発明の課題は、同一の端子台にプリント板実装用とブロック型の双方の機能を持たせ、使い勝手の向上を図ることにある。
【課題を解決するための手段】
【０００６】
上記課題を解決するために、この発明は、絶縁物の基台に端子板が保持された端子台において、前記端子板をＬ字形に形成し、その一方の脚の前後２箇所に電線接続部を設けるとともに、他方の脚の先端にプリント板接続部を設け、この端子板を前記基台に上方から圧入して固定するものである（請求項１）。請求項１の発明によれば、２箇所の電線接続部を用いることにより端子台をブロック型として機能させ、１箇所の電線接続部とプリント板接続部とを用いることにより端子台をプリント板実装用として機能させることができる。
【０００７】
請求項１の発明において、前記電線接続部を設けた端子板の脚の両側を門形に折り曲げて側板を形成するとよい（請求項２）。端子板の脚に側板を門形に形成することにより、端子板の体積及び表面積を増大し、導体部分の温度上昇を軽減することができるとともに、側板を基台との係合部として用い、端子板の固定を強固にすることができる。
【０００８】
請求項１の発明において、前記プリント板接続部を設けた端子板の脚の先端が突出する前記基台の取付面に、この基台の両端に設けた取付穴を囲む環状のボスを形成し、このボスの高さを前記プリント板接続部を接続するプリント板の板厚と同じにするとよい（請求項３）。これにより、端子台をプリント板実装用あるいはブロック型のいずれの用途に使用する場合でも、電気機器の筐体に対する端子台の取付高さを一定にすることができ、またボスを端子台をプリント板に実装する際の位置決めに用いることができる。
【発明の効果】
【０００９】
この発明によれば、同一の端子台をプリント板実装用端子台とブロック型端子台の両方に共用できるため、使い勝手が向上していずれの仕様に対しても電気機器の筐体を統一できるとともに、部品としての端子台の管理も簡単になる。
【発明を実施するための最良の形態】
【００１０】
以下、図１〜図７に基づいて、この発明の実施の形態を説明する。ここで、図１は端子台の斜視図、図２は図１の端子台を裏面側から見た斜視図、図３（Ａ）は図１の端子台における端子板の平面図、同（Ｂ）は同じく正面図、同（Ｃ）は同じく側面図、図４は図１の端子台における基台の平面図、図５（Ａ）は図４のＡ−Ａ線に沿う断面図、同（Ｂ）はＢ−Ｂ線に沿う断面図、同（Ｃ）はＣ−Ｃ線に沿う断面図である。なお、従来例と対応する部分には同一の符号を用いるものとする。図１に示すように、端子台１は６極構成で、端子板３は基台２に上面から圧入されることにより固定されている。
【００１１】
図３において、端子板３は直交する脚３ａ及び３ｂからなるＬ字形に形成され、その一方の脚３ａの前後２箇所に電線接続部としてのねじ穴５及び６が設けられている。また、脚３ａは両側が門形に折り曲げられることにより側板３ｃ及び３ｄが形成され、その下端面には左右同形の長方形の切欠７が設けられている。また、端子板３の他方の脚３ｂは先細りに形成され、その先端にプリント板接続部３ｅが設けられている。
【００１２】
次に、図４及び図５において、基台２は隔壁及び側壁により６極に区画され、各区画の左右の内壁面には上下方向（図５（Ｃ）の左右方向）に凸条２ａが形成され、更に壁面に沿うように上面から条溝２ｂが形成されている。また、基台２の前面壁２ｃの内壁面には上下に貫通する断面矩形の凹部２ｄが形成され、かつその下部には左右に渡る橋絡片２ｅが設けられている。一方、基台２の両端には端子台１を電気機器の筐体に取り付けるための取付穴８が設けられ、基台２の下面の取付面２ｈ（図２）には取付穴８を囲むようにボス２ｆが環状に形成されるとともに、このボス２ｆの高さはプリント板接続部３ｅが接続される図示しないプリント板の板厚と同じなっている。
【００１３】
上記した構成において、端子板３を基台２に固定するには、端子板３の脚３ｂを凹部２ｄに合わせて押し込む。これにより、脚３ｂは凹部２ｄの左右壁面間に圧入され、プリント板接続部３ｅは凹部２ｄの底面と橋絡片２ｅとの隙間に圧入され、脚３ａにおける側板３ｃ，３ｄの切欠７は凸条２ａの上部に密に嵌合し、側板３ｃ，３ｄの脚３ｂから遠い側は溝２ｂに圧入され、側板３ｃ，３ｄの脚３ｂに近い側は凸条２ａと前面壁２ｃとの間の隙間２ｇに圧入される。端子板３の抜け止めは、これら圧入部及び嵌合部での接触摩擦により達成される。端子板３の上下方向の位置は、切欠７の天井面が凸条２ａに当接して決められ、この当接位置においてプリント板接続部３ｅは図２に示すように、基台２の取付面２ｈから所定の長さだけ突出する。
【００１４】
図６は、端子台１をモータ駆動用インバータユニットの主回路プリント板に実装した状態を示している。すなわち、図６において、端子台１は端子板３のプリント板接続部３ｅ（図１）がプリント板９の出力端に差し込まれてはんだ付けされるとともに、基台２のボス２ｆ（図２）がプリント板９にあけられた図示しない同径の穴に嵌め込まれ、取付穴８を通してアルミダイカストの筐体の柱状の取付部１０にねじ１１により締め付けられている。その場合において、ボス２ｆの高さとプリント板９の板厚は同じであるため、ボス２ｆ及びプリント板９の下面は同一に揃って取付部１０の上面に当接する。図示しない外部配線は、前方側（図１の手前側）のねじ穴５にねじ込まれる端子ねじ４により端子板３に接続される。
【００１５】
図７は、端子台１をブロック端子台としてモータ駆動用インバータユニットの筐体に取り付けた状態を示している。端子台１は筐体の取付部１０にねじ１１で締め付けられ、インバータユニットの内部配線は、後方側（図１の奥側）のねじ穴６にねじ込まれる端子ねじ４により端子板３に接続される。外部配線はプリント板実装の場合と同様に、端子板３の前方側に接続される。上記の通り、端子台１はプリント板実装用及びブロック型のいずれの用途にも使用可能である。その場合、側板３ｃ，３ｄが門形に形成された端子板は熱放散が良好で温度上昇が抑えられ、また側板３ｃ，３ｄと凸条２ａとの係合により、端子板３の前後方向の位置決めと抜け止めとが良好に達成される。更に、ボス２ｆは図６のプリント板実装時と同様に取付部１０の上面に当接し、筐体に対する端子台１の取付高さはプリント板実装時と同一になる。
【図面の簡単な説明】
【００１６】
【図１】この発明の実施の形態を示す端子台の斜視図である。
【図２】図１の端子台を裏面側から見た図である。
【図３】図１における端子板を示し、（Ａ）は平面図、（Ｂ）は正面図、（Ｃ）は側面図である。
【図４】図１における基台の平面図である。
【図５】（Ａ）は図４のＡ−Ａ線に沿う断面図、（Ｂ）はＢ−Ｂ線に沿う断面図、（Ｃ）はＣ−Ｃ線に沿う断面図である。
【図６】図１の端子台をプリント板に実装した状態を示す斜視図である。
【図７】図１の端子台を筐体に取り付けた状態を示す斜視図である。
【図８】従来のプリント板実装用端子台を示す斜視図である。
【図９】従来のブロック型端子台を示す斜視図である。
【符号の説明】
【００１７】
１    端子台
２    基台
３    端子板
４    端子ねじ
９    プリント板
【図１】
2005222711.tif 000003
【図２】
2005222711.tif 000004
【図３】
2005222711.tif 000005
【図４】
2005222711.tif 000006
【図５】
2005222711.tif 000007
【図６】
2005222711.tif 000008
【図７】
2005222711.tif 000009
【図８】
2005222711.tif 000010
【図９】
2005222711.tif 000011